(57)【要約】      （修正有）【課題】壁面の所定高さに取り付けられた収納家具の跳ね上げ扉の開閉動作を円滑に行うことができ、また、扉の重量増加の起因となる幅方向に長い収納家具であったとしても跳ね上げ扉式を使用することができ、閉めるときに扉と開口部とが衝突するおそれのない収納家具。【解決手段】収納空間８を構成する枠体２と、枠体２の前面に形成されて前記収納空間８に対して前記収納物を出し入れできる開口部９と、開口部９を開閉するための前面扉３とを備えた収納家具１であって、前記前面扉３を開閉するためのヒンジ部５は枠体２の上面に取り付けられ、前記前面扉３は前記開口部９を閉状態にする第一位置と、その第一位置から上方に向けて回動して前記開口部９を開状態にする第二位置との間で回動可能になっており、前記枠体２と前記前面扉３との間には、平衡位置を境に第一位置もしくは第二位置に向けて前記前面扉３を回動させるダンパー機構６を配置した。【選択図】図１
2006299533.tif 000002
【特許請求の範囲】
【請求項１】
収納物を収納するための収納空間を構成する枠体と、その枠体の前面に形成されて前記収納空間に対して前記収納物を出し入れできる開口部と、その開口部を開閉するための前面扉と、を備えた収納家具であって、
前記前面扉を開閉するためのヒンジ部は枠体の上面に取り付けられ、前記前面扉は前記開口部を閉状態にする第一位置と、その第一位置から上方に向けて回動して前記開口部を開状態にする第二位置との間で回動可能になっており、
前記枠体と前記前面扉との間には、前記第一位置と第二位置との間の平衡位置を境に第一位置もしくは第二位置に向けて前記前面扉を回動させるダンパー機構を配置したことを特徴とする収納家具。
【請求項２】
請求項１に記載の収納家具であって、
前記前面扉の裏面には、自身を前記枠体に支持する支持機構が備えられ、この支持機構は、一端が前記ヒンジ部により前記枠体上面で回動支点として固定されるとともに、他端が自由端部として前記前面扉の裏面と一体的に固定され、前記前面扉が前記第一位置と前記第二位置との間を回動可能になっており、そしてこの支持機構と前記枠体上面との間に前記ダンパー機構が配置され、前記前面扉を開くときには、開方向に回動付勢し、また前記前面扉を閉じるときには、この前面扉の自重による回動を支持する方向に付勢するようにこのダンパー機構が前記前面扉を回動させている収納家具。
【請求項３】
請求項１または２に記載の収納家具であって、
前記枠体上面には、前記ダンパー機構とは別に、前記開口部を閉状態にする第一位置に向けて前記前面扉が回動するときに、その回動する前記前面扉と前記枠体の開口部との衝突を和らげる緩衝機構が設けられている収納家具。
【請求項４】
請求項３に記載の収納家具であって、
前記ダンパー機構は、前記枠体上面および支持機構の両端もしくはその片側に設けられ、また前記緩衝機構は、前記枠体上面の前記ダンパー機構と対応する位置に設けられ、前記前面扉を閉じる場合に、前記前面扉が第一位置に到達する手前で、前記ダンパー機構の一部と前記緩衝機構とが当接し、前記緩衝機構が前記前面扉の前記第一位置方向への回動を阻止することにより、この回動する前記前面扉と前記枠体の開口部との衝突を和らげる収納家具。
【請求項５】
請求項１ないし４のいずれか１項に記載の収納家具であって、
前記収納家具が、基準壁面に対して固定的に設置されるつり戸棚である収納家具。
【発明の詳細な説明】
【技術分野】
【０００１】
本発明は、例えばシステムキッチン等の厨房家具、あるいは飾り棚等の跳ね上げ扉式収納家具に関する。
【背景技術】
【０００２】
近年、住宅やマンション、アパート等の台所として、システムキッチンと呼ばれるユニット状態の台所が普及している。このシステムキッチンは、例えばシンクなどの調理場の上方に食器や調理器具等を収納する収納家具（つり戸棚）が壁面の所定高さ位置に備え付けられている。このような収納家具では、両側開き扉式収納家具の他に跳ね上げ扉式収納家具が知られている。
【０００３】
従来技術として、特許文献１には、上下２枚の扉で構成する跳ね上げ扉式の家具について開示している。この家具は、跳ね上げ扉を上方に開けた状態のときに家具本体の開口幅が広くなるようその家具本体の開口部に対し扉のかぶり代を少なくするために、扉を開ける動作に連動して下部扉がスライドし上部扉と重なるようにしたものである。
【特許文献１】特開２００５−１３５６６号公報
【発明の開示】
【発明が解決しようとする課題】
【０００４】
しかしながら、特許文献１では、上部扉と下部扉との二枚の扉で構成されているため例えばその二枚の扉を連結する連結部材や、上部扉に下部扉がスライドするためのガイドレールや滑車、ワイヤー等の付属部品が設けられているため扉自身の重量が増加し、このため跳ね上げ扉式の扉を開ける時に大きな力が必要となり、また扉を閉じる時にも、大きな力で扉を支持する必要がある。また、このような重量の大きな扉を支持せず閉めようとすると、扉の自重により扉が勢いよく閉まるため扉と開口部とが衝突してしまう。これにより、一般に台所で調理等を行う例えば力が弱くまた背が低い使用者は、収納家具が所定の高さに配置されているため扉の開閉を無理な体勢で行うことになり、扉と開口部とで手や指など体の一部を挟み怪我をするおそれがあった。また、跳ね上げ扉式の収納家具では幅方向に長いものは扉自身の重量増加の起因となるため使用することができなかった。
【０００５】
本発明の課題は、例え背が低くまた力が弱い使用者であっても、壁面の所定高さに取り付けられた収納家具の跳ね上げ扉の開閉動作を円滑に行うことができ、また、扉の重量増加の起因となる幅方向に長い収納家具であったとしても跳ね上げ扉式を使用することができ、さらにはその扉を閉めるときに跳ね上げ扉と開口部とが衝突するおそれのない跳ね上げ扉式の収納家具を提供することにある。
【課題を解決するための手段および効果】
【０００６】
上記課題を解決するために、本発明の収納家具は、
収納物を収納するための収納空間を構成する枠体と、その枠体の前面に形成されて前記収納空間に対して前記収納物を出し入れできる開口部と、その開口部を開閉するための前面扉と、を備えた収納家具であって、
前記前面扉を開閉するためのヒンジ部は枠体の上面に取り付けられ、前記前面扉は前記開口部を閉状態にする第一位置と、その第一位置から上方に向けて回動して前記開口部を開状態にする第二位置との間で回動可能になっており、
前記枠体と前記前面扉との間には、前記第一位置と第二位置との間の平衡位置を境に第一位置もしくは第二位置に向けて前記前面扉を回動させるダンパー機構を配置したことを特徴とする。
【０００７】
また、上記課題を解決するために、本発明の収納家具の具体的態様は、
前記前面扉の裏面には、自身を前記枠体に支持する支持機構が備えられ、この支持機構は、一端が前記ヒンジ部により前記枠体上面で回動支点として固定されるとともに、他端が自由端部として前記前面扉の裏面と一体的に固定され、前記前面扉が前記第一位置と前記第二位置との間を回動可能になっており、そしてこの支持機構と前記枠体上面との間に前記ダンパー機構が配置され、前記前面扉を開くときには、開方向に回動付勢し、また前記前面扉を閉じるときには、この前面扉の自重による回動を支持する方向に付勢するようにこのダンパー機構が前記前面扉を回動させることを特徴とする。
【０００８】
かかる本発明では、前面扉（以下、単に扉ともいう）を開閉するためのヒンジ部が枠体の上面に取り付けられている。これによって、特許文献１のような収納空間内にヒンジ部を取り付けた収納家具と比して、その収納空間を圧迫することなく、最大限有効利用することができる。また、枠体に扉を組み付ける際にも簡単に組み付けることができ作業性に優れる。さらに、枠体上面という高い位置で扉が支持されているので、扉を開状態にした場合において、より高い位置まで扉を回動することができ、この扉の開状態のときに開口部とのかぶり代がなく、より円滑に収納物を収納空間に出し入れすることができる。
【０００９】
また、この収納家具にはダンパー機構が配置されているため、例えば扉を開閉動作する力を加えると前記平衡位置を境に扉を開くときには、ダンパー機構の回動付勢する力が扉の自重による回動力に勝り、使用者が力を加え続けなくとも開状態へと自動的に移行する。また、扉を閉じるときには、前記平衡位置を境に扉の自重による回動力がダンパー機構の回動付勢する力に勝り、扉は閉状態へと移行する。このとき常時ダンパー機構は扉の自重を支持する方向に付勢しているため、使用者が扉を支持しなくとも扉は緩やかに閉まる。このため少ない力で扉の開閉動作を行うことができるので、例え背が低くまた力の弱い使用者であっても容易に扉の開閉動作を行うことができる。
【００１０】
また本発明の収納家具は、
前記枠体上面には、前記ダンパー機構とは別に、前記開口部を閉状態にする第一位置に向けて前記前面扉が回動するときに、その回動する前記前面扉と前記枠体の開口部との衝突を和らげる緩衝機構を設けることができる。これにより、緩衝機構を枠体上面に設けることにより、構造簡素で安価な構造とすることができる。
【００１１】
また本発明の収納家具は、
前記ダンパー機構は、前記枠体上面および支持機構の両端もしくはその片側に設けられ、また前記緩衝機構は、前記枠体上面の前記ダンパー機構と対応する位置に設けられ、前記前面扉を閉じる場合に、前記前面扉が第一位置に到達する手前で、前記ダンパー機構の一部と前記緩衝機構とが当接し、前記緩衝機構が前記前面扉の前記第一位置方向への回動を阻止することにより、この回動する前記前面扉と前記枠体の開口部との衝突を和らげることができる。
【００１２】
これにより、ダンパー機構および緩衝機構を枠体上面および支持機構の両端に備えることにより、扉の開閉動作のバランスの均一化を図ることができるため、幅方向に長い収納家具であったとしても跳ね上げ式の扉を使用することができる。また、扉自身の重量が重い場合にも扉の操作力を軽減することができ簡単に扉の開閉動作を行うことができる。また、ダンパー機構の一部が緩衝機構と当接するという二重構造にすることにより、扉と枠体開口部との衝突を和らげることができるので構造簡素で安価な構造とすることができる。
【００１３】
また本発明の収納家具は、
前記収納家具が、基準壁面に対して固定的に設置されるつり戸棚とすることがきる。これにより、上記効果を有する収納家具を基準壁面に対して設置することでつり戸棚として構成することができる。
【発明を実施するための最良の形態】
【００１４】
以下、本発明の実施の形態を、図面に示す実施例を参照しながら説明する。本実施例は、主としてつり戸棚について例示しているが、本発明はこれらに限定されるものではなく、特許請求の範囲の趣旨を逸脱しない限りにおいて、当業者の知識に基づく種々の変更が可能である。
【００１５】
図１は、本発明の扉３を開けた状態の収納家具１を示す斜視図、図２は、本発明の扉３を閉じた状態の収納家具１を示す斜視図である。本発明の収納家具１は、例えばシステムキッチンの一部としてキッチン内に取り付けられ、調理等の作業が行われるシンクの上方に配設されて使用される。この収納家具１は、シンクが備え付けられる基準壁面１００の所定高さで固定される枠体２と、その枠体２の前面を開閉する扉３と、その扉３を枠体２に支持する支持機構４と、枠体上面に配設され枠体２と支持機構４とを連結するヒンジ部５と、扉３の開閉の回動を付勢するダンパー機構６と、扉３を閉じるときの衝突を和らげる緩衝機構７とを有している。
【００１６】
枠体２は、内部に例えば食器等の収納物を収納する収納空間８を備えるとともに、前面にはその収納空間８に収納物を出し入れすることができる開口部９を備えている。また、枠体２は、その周囲を矩形状の複数の板状部、すなわち、上板部１０、下板部１１、左右の側板部１２，１２および背板部１３によって取り囲むように構成される函体であって、背板部１３の内面には化粧合板１４が貼り付けられている（図８参照）。
【００１７】
左右の側板部１２，１２は、対をなして構成することが望ましく、その左右の側板部１２，１２を連結する上板部１０は、側板部１２の上端より所定高さ低い位置に取り付けられている。これにより、後述するような支持機構４やヒンジ部５を上板部１０の上面１０ａ上に直接取り付けることができるため、側板部１２の上板面１０から突出した部分で隠蔽されこの上部空間を有効活用することができる。また、枠体２の収納空間８には、棚板部１５が着脱可能に取り付けられている。なお、本実施例では、棚板部１５は上下方向略中央位置に１枚設けているがこれに限定するものではなく、複数または無くすることもできる。また、収納空間８を左右に仕切る仕切り板部を設けることもできる。
【００１８】
次に扉３は、図２に示すように、一枚の板状部材で形成され、枠体２の前面に形成する開口部９を覆うことができる。また扉３の裏面３ａ上方には、支持機構４が連結されている（図８参照）。この支持機構４は、扉３を開口部９に対し開閉するための回動軸部４１と、その回動軸部４１において長手方向に所定間隔隔てた位置に基端部が連結する一対の回動アーム４２，４２と、回動軸部４１および回動アーム４２，４２を周縁の３辺とするように貼り付けられる面状部材４３とを備えている。なお、回動軸部４１は、上板部１０において基準壁面側に設けることが望ましい。回動軸部４１を基準壁面側に設けることにより、扉３との距離が長くなり、すなわち回動アーム４２の長さを長く形成することができるので、扉３を開いたときに回動アームの長さが短い場合よりも開口部９に対して高い位置まで扉３を開くことができるので、開口部９とのかぶり代をなくすることができる。
【００１９】
この回動軸部４１は後述する上板部１０の上面１０ａの両端に配設されるヒンジ部５に回動可能に回転支点として固定されている。また、一対の回動アーム４２，４２は、その回動軸部４１に基端部が連結されその基端部から扉３方向（枠体前面方向）に延出され、先端部（自由端部）が扉３の裏面３ａの上方と連結されている。これにより、扉３は、回動軸部４１を支持機構４を介在して枠体２の開口部９を開閉することができる。また面状部材４３は、扉を開いた状態のときに前方からの支持機構４の構造を覆う効果を有する。なお、面状部材４３は、省略することもできる。
【００２０】
また、扉を側面視略Ｌ型形状の板状部材とすることもできる。この場合は、開口部９を閉じた状態のときに、垂直方向に延出する板状部が扉３に相当し、水平方向に延出する板状部が支持機構４に相当する。水平方向に延出する板状部の基端部を回動支点として回動することにより、この側面視略Ｌ型形状をなす扉を開閉することができる。
【００２１】
図１に戻り、上板部１０の上面１０ａの両端には、それぞれヒンジ部５及びダンパー機構６が配設されている。またヒンジ部５は、上板部１０から上方に突出する側板部１２の内側に沿って配設されている。図３は、収納家具１の要部拡大図であり、図３（ａ）、図３（ｂ）に示すように、ヒンジ部５は、基準壁面１００側が高くなる段差部５１ａを形成する一対のサイドプレート５１，５１を有し、その段差部５１ａには、基準壁面１００側に前記回動軸部４１を回動可能に固定する第一軸支部５２と、基準壁面１００の反対側に後述する緩衝機構７の押圧部材７３を回動可能に固定する第二軸支部５３とが形成されている。また、サイドプレート５１の段差部５１ａより低く形成する開口部８側にはダンパー機構６の一端を係止する係止部５４が形成されている。ここで、基準壁面１００側とは枠体２において奥側（背面側）に相当し、基準壁面１００の反対側とは枠体２において前面側（開口部側）に相当する。
【００２２】
ダンパー機構６は、本実施例ではガススプリングが使用され、例えば窒素ガスなどが封入された円筒状部６１と、そのガス圧の作用で往復運動する棒状部６２とを備え、両端部にはガススプリング６を取り付けるための回転体６３，６４が形成されている。このガススプリング６は、一端が回動アーム４２側面の中途部に回動可能に固定されるとともに（この場合は回転体６３が固定されている）、他端はヒンジ部５に形成される係止部５４に係脱可能に係合されている（この場合は、回転体６４が係合されている）。このように、ガススプリング６が回動アーム４２側面の中途部とヒンジ部５を介して枠体２上面との間に配置されるため、扉３が第一位置（閉状態）と第二位置（開状態）との間を移行する際にガススプリング６が第二位置方向側に常時回動付勢する力を発生する。
【００２３】
これにより、例えば使用者が扉３を開けるときには、扉３の自重による第一位置方向への回動力と、ガススプリング６の第二位置方向への回動付勢する力とが平衡する位置を境にガススプリング６の第二位置方向側に回動付勢する力が扉３の自重による回動力に勝り、使用者が力を加え続けなくとも開状態へと自動的に移行する。また、扉３を閉じるときには、前記平衡位置を境に扉の自重による回動力がガススプリング６の回動付勢する力に勝り、扉３は第一位置（閉状態）へと移行する。このときガススプリング６が扉３の自重を支持する方向に常時付勢しているため、使用者が扉３を支持しなくとも扉３は緩やかに自動的に閉まる。このため扉３の開閉動作の操作力を軽減することができる。
【００２４】
なお、ダンパー機構６としては、ガススプリングに限定することなく、ばね鋼製・青銅製等の金属ばね、ゴム製・合成樹脂製等の非金属ばね、空気・オイル等を利用する流体ばね等の弾性部材を用いることができる。
【００２５】
次に、緩衝機構７について詳しく説明する。図４は、緩衝機構７の全体構成を示す説明図であり、緩衝機構７は、扉３を閉じるときに衝突を和らげる緩衝部材７１と、ヒンジ部５の間に取り付けられ緩衝部材７１を固定する固定部材７２と、前記ヒンジ部の第二軸支部５３に回動固定される押圧部材７３とを備えて構成されている。
【００２６】
図５は、緩衝部材を概念的に示す説明図、図６は固定部材を示す斜視図、図７は、押圧部材を示す図である。緩衝部材７１は、断面略円筒形状のシリンダー７４の内側に棒状のピストンロッド７５を備えたピストン７６が収められ、シリンダー内部には、ピストン７６によりシリンダー底面側（図５においては左側）に第一油室７９と反対側に位置する第二油室８０とを形成している。この２つの油室７９，８０には、オイル８１が満たされシール部材７８等により封入されている。また、第一油室７９には、ピストンロッド７５が押し込まれたときにピストン７６を元の所定位置まで押し戻すリターンスプリング８２が設けられている。
【００２７】
ピストン７６には、第一油室７９と第二油室８０とを連通する通路としてオリフィス７７が形成され、例えば、ピストンロッド７５が押されると、ピストン７６は第一油室７９側に移動しようとする。このとき、第一油室７９のオイル８１がオリフィス７７を通って第二油室８０へと移動するので、ピストン７６は第一油室７９側へ移動することができる。
【００２８】
また、第一油室７９には、リターンスプリング８２が設けられているため、ピストン７６が第一油室７９側に移動する際にリターンスプリング８２を圧縮しながら移動するので、ピストンロッド７５を押す力が解除されると、リターンスプリング８２の弾性力によりピストン７６は元の所定位置まで移動しようとする。このとき、第二油室８０のオイル８１がオリフィス７７を通って第一油室７９へと移動するため、ピストン７６は第二油室８０側へ移動することができる。
【００２９】
このように緩衝部材７１は、オイルの粘性抵抗や乱流抵抗を利用して、振動（ロッドの往復運動）を減衰させたり、衝撃を緩和させたりすることができる。すなわち、シリンダー７４内をピストン７６が動く際に、オイル８１が小さなオリフィス７７を通ることで、オイル８１（液体）内に摩擦が起こって流れ難くなり抵抗が発生し、ピストンロッド７５を備えるピストン７６の動きを制御することができる。
【００３０】
次に固定部材７２は、図６に示すように、略直方体形状をなし、前記緩衝部材７１を挿入して取り付ける挿入孔７２ａが形成されている。本実施例の挿入孔７２ａの形状としては、断面略小判形状の略中央部分がくびれた形状を呈し、円筒形状の緩衝部材７１が上下に二つ挿入できるように形成されている。この挿入孔７２ａの形状としては、緩衝部材７１に対応する断面円形形状の挿入孔を離間した状態で形成することもでき、また断面円形形状に限定されるものではなく楕円、三角形、四角形等の多角形形状とすることもできる。
【００３１】
次に、押圧部材７３について説明する。図７に示すように、押圧部材７３はカム形状をなし、上部に滑らかな曲面をなす第一凹部８５を形成し、下部には、滑らかな曲面をなす第二凹部８６と第三凹部８７とを形成している。また、図４に戻り、この押圧部材７３は、ヒンジ部５の段差部５１ａの第二軸支部５４に回動可能に固定される軸部８８が形成されている。押圧部材７３の形状は、これに限定するものではなく、単に円形や楕円または三角形状とすることもできる。
【００３２】
また、緩衝部材７１を固定部材７２に挿入する際には、軸部８８で軸支された押圧部材７３を持ち上げることにより緩衝部材７１を挿入孔７１ａに挿入することができる。
【００３３】
次に、図８乃至１１を参照しながら扉３の開閉動作を要部拡大図とともに説明する。図８は、扉３の開閉動作における開状態（第二位置に相当）を示す図であり、このとき要部拡大図に示すように、緩衝機構７の緩衝部材７１が固定部材７２の挿入孔７２ａに配置され、ピストンロッド７５の先端７５ａと押圧部材７３の第二凹部８６の面とが当接している。また、ガススプリング６の回転体６３は押圧部材７３の上方で離間した状態である。
【００３４】
図９は、回転体６３が押圧部材７３の第一凹部８５と当接した状態を示している。図８の状態から扉３を閉じようとすると、扉３は、回動軸部４１を回動支点として第一位置側に移行していく。このとき、ガススプリング６は、支持機構４を常時回動付勢しているため、棒状部６２が円筒状部６１内に押し込まれていき、ガススプリング６全体の長さが縮んでいくとともに、回転体６３が下がってくる。その下がってきた回転体６３は、押圧部材７３の第一凹部８５と当接する。このとき押圧部材７３の上部に第一凹部８５が形成しているため、回転体６３を正確に押圧部材７３と当接することができる。
【００３５】
図１０は、扉３の開閉動作における閉状態（第一位置に相当）を示す図であり、第一凹部８５に当接した回転体６３は、扉３が自重による回動力により、さらに第一位置（閉状態）へと移行するため、その当接したカム形状を有する押圧部材７３を下方向に押圧しながら下がってくる。このとき、回転体６３に押圧された押圧部材７３は、軸部８８を回動支点とし、固定部材７２に配置された上下２つの緩衝部材７１，７１のピストンロッド７５の先端部７５ａをそれぞれ第二凹部８６、第三凹部８７で押し込む。
【００３６】
このとき、押圧部材７３は、上部に第一凹部８５を形成しているため、回転体６３による下方向への押圧を確実に受け止めその荷重をピストンロッド７５へと中継することができる。また下部に第二凹部８６および第三凹部８７を形成しているため、ピストンロッド７５の先端部７５ａと正確に当接することができる。押圧部材７３を上記形状のようにすることにより、回転体６３が押圧部材７３を押圧する力をより確実にピストンロッド７５へと中継することができる。
【００３７】
そして、このピストンロッド７５は、上述したようにシリンダー７４内に備えられたオイル８１等の作用により、緩やかに押し込まれていく。ピストンロッド７５が緩やかに押し込まれるので、そのピストンロッド７５を押し込む押圧部材７３および回転体６３も緩やかに回転および移動していく。すなわち、扉３は第一位置へと移行する手前で、支持機構４の中途部に取り付けられた回転体６３の動作を制御することで、扉３と枠体２の開口部８とが衝突することなく緩やかに閉めることができる。
【００３８】
図１１は、扉を開ける時の状態を示す図である。扉３を開けると、押圧部材７３を押圧している回転体６３は押圧部材７３の第一凹部８５から離間する。回転体６３が押圧部材７３から離間することにより、ピストンロッド７５を押し込んでいた力が解除され、シリンダー７４内部に形成するリターンスプリング８２がピストン７６を元の所定位置まで押し戻す。リターンスプリング８２の弾性力は、大きすぎると扉３が第一位置（閉状態）へと移行しても扉３を開口部８から浮き上がった状態へと押し戻してしまう。よって、リターンスプリング８２の弾性力は、扉３が開状態のときに押圧部材７３を押し戻す程度の弾性力を有することが望ましい。
【００３９】
本実施例の緩衝部材７１は、オイルの種類、オリフィスの形状、数、大きさにより扉３の緩衝力を調整することができる。また、固定部材７２に上下２つ取り付けることができるが、使用する扉３の重量などにより上下どちらかの１つだけとすることもできる。なお、固定部材７２の挿入孔７２ａを２つ以上形成してもよく、その場合にはその数に対応した緩衝部材７１を取り付けることができる。
【００４０】
また、押圧部材７３は、回転体６３により押圧されているが、これに限定するものではなく、例えばガススプリング６の円筒状部６１の外周面で押圧部材７３の上面を押圧することもできる。さらに、押圧部材７３を省略し回転体６３やガススプリング６の円筒状部６１が下りてくる位置に対応した位置に緩衝部材７１を配置し、直接ピストンロッド７５を押し込むようにすることもできる。
【図面の簡単な説明】
【００４１】
【図１】扉を開けた状態の収納家具を示す斜視図
【図２】扉を閉じた状態の収納家具を示す斜視図
【図３】収納家具の要部拡大図
【図４】緩衝機構の全体構成を示す説明図
【図５】緩衝部材を概念的に示す説明図
【図６】固定部材を示す斜視図
【図７】押圧部材を示す図
【図８】扉の開閉動作を説明する第１の状態説明図
【図９】扉の開閉動作を説明する第２の状態説明図
【図１０】扉の開閉動作を説明する第３の状態説明図
【図１１】扉の開閉動作を説明する第４の状態説明図
【００４２】
１    収納家具（つり戸棚）
２    枠体
３    扉（前面扉）
４    支持機構
５    ヒンジ部
６    ダンパー機構
６ａ，６ｂ  回転体
７    緩衝機構
８    収納空間
９    開口部
１０  上板部
１１  下板部
１２  側板部
１３  背板部
１４  化粧合板
１５  棚板部
４１  回転軸部
４２  回転アーム
４３  面状部材
７１  緩衝部材
７２  固定部材
７３  押圧部材
【図１】
2006299533.tif 000003
【図２】
2006299533.tif 000004
【図３】
2006299533.tif 000005
【図４】
2006299533.tif 000006
【図５】
2006299533.tif 000007
【図６】
2006299533.tif 000008
【図７】
2006299533.tif 000009
【図８】
2006299533.tif 000010
【図９】
2006299533.tif 000011
【図１０】
2006299533.tif 000012
【図１１】
2006299533.tif 000013